(57)【特許請求の範囲】
【請求項１】
盛り篭用のスタンド類に取り付けられるお供物用の収納台であって、その適所にワインボトルの側面の一部を傾斜させて収納可能とした複数の傾斜凹所を形成するとともに、該凹所の端部にワインボトルの底に形成された凹部にはめ込まれる係合突起を配置したことを特徴とする冠婚葬祭用ワイン盛り篭用収納台。
【請求項２】
前記ワインボトルの底に形成された凹部にはめ込まれる複数の係合突起が、それぞれワインボトルの底部から型取りした１／２の断面形状に形成されていることを特徴とする請求項１記載の冠婚葬祭用ワイン盛り篭用収納台。
【請求項３】
前記ワインボトルの底に形成された凹部にはめ込まれる複数の係合突起の表面に、滑り止め手段が形成されていることを特徴とする請求項１に記載の冠婚葬祭用ワイン盛り篭用収納台。
【請求項４】
前記滑り止め手段が、係合突起表面に付着させた細砂層、もしくはシリコンゴム等の滑り止め層から選ばれてなることを特徴とする請求項１ないし請求項３のいずれかに記載の冠婚葬祭用ワイン盛り篭用収納台。
【請求項５】
前記ワインボトルの底に形成された凹部にはめ込まれる複数の係合突起が、収納台と一体成形により、または収納台と別に作成したものを収納台の適所に取り付けることにより形成されていることを特徴とする請求項１ないし請求項４のいずれかに記載の冠婚葬祭用ワイン盛り篭用収納台。
【発明の詳細な説明】
【技術分野】
【０００１】  この発明は、従来の冠婚葬祭用お供物である花輪・生花スタンド・果物篭・缶詰スタンド・タオルフラワースタンド等に代わるお供物として、地場産業品であるワイン及びブドウを主原料とする生産品に着目し、葬儀時のお供物用または慶事用として簡単に盛り篭にセットできるようにした冠婚葬祭用ワイン盛り篭用収納台に関する。
【背景技術】
【０００２】  従来、この種の飲料をお供物としてセットした冠婚葬祭用盛り篭としては、特開２０００−１４５３１号公報（特許文献１参照）の受け皿にお供物をセットするようにしたものや、実用新案登録第３１３７９６９公報（特許文献２参照）のお供物を収納する枠体を用いたもの、特開平５−２７０５６８号公報（特許文献３参照）の枠体の中央に高級酒をケースごと配置し、その周囲にワインや缶ビールを配置したもの等が知られている。
【特許文献１】特開２０００−１４５３１号公報
【特許文献２】実用新案登録第３１３７９６９号公報
【特許文献３】特開平５−２７０５６８号公報
【発明の開示】
【発明が解決しようとする課題】
【０００３】  しかしながら前記いずれの先行技術においても、ワインボトルが重いためにずれやすく、確実に受け皿の所定位置にセットすることが難しいという問題があった。そのために各種の結束手段を用いることが考えられるが、手間がかかる上、見映えも悪いという重大な問題点が残り、実用に耐えるものはなかなか存在しないのが現状である。
例えば、既製品の盛り篭用のスタンドをこの発明において使用する収納台の支持手段として利用しようとすると、展示角度は０度から９０度で展示されるために、落下防止・ズレ防止・展示の際の美的バランス・使い回しの利便性等を考慮する必要があり、前記いずれの先行技術もこのような課題を解消することは難しかった。【０００４】  この発明においては、ワインのボトルの形状・材質・重量を念頭に置き、落下による破損・汚損・さらに破損時における人的損害等のあってはならない不慮の事故を想定し、かつワインボトルの底の凹部形状に着目した結果、収納台と同一素材または複数の素材を用い当該ワインボトルの底の凹部形状に合致する安定手段を装着することとした。
すなわち、この発明は、包装に透明なラッピングフィルムを使用した場合のラッピングの安定性が非常に良好でかつ持ち運びのしやすさを向上させた、ワイン及びブトウ生産品を主体とした冠婚葬祭用ワイン盛り篭用収納台を提供することを目的とするものである。【０００５】  この発明の冠婚葬祭用ワイン盛り篭用収納台は、盛り篭用のスタンド類に取り付けられるお供物用の収納台であって、その適所にワインボトルの側面を収納可能とした複数の傾斜凹所を形成するとともに、該傾斜凹所の端部にワインボトルの底に形成された凹部にはめ込まれる係合突起を配置したことを特徴とするものである。【０００６】  この発明の冠婚葬祭用ワイン盛り篭用収納台は、前記ワインボトルの底に形成された凹部にはめ込まれる複数の突起が、それぞれワインボトルの底部から型取りした１／２の断面形状に形成されていることを特徴とするものである。【０００７】  この発明の冠婚葬祭用ワイン盛り篭用収納台は、前記ワインボトルの底に形成された凹部にはめ込まれる複数の係合突起の表面に、滑り止め手段が形成されていることを特徴とするものである。【０００８】  この発明の冠婚葬祭用ワイン盛り篭用収納台は、前記滑り止め手段が、係合突起表面に付着させた細砂層、もしくはシリコンゴム等の滑り止め層から選ばれてなることを特徴とするものである。【０００９】  この発明の冠婚葬祭用ワイン盛り篭用収納台は、前記ワインボトルの底に形成された凹部にはめ込まれる複数の係合突起が、収納台と一体成形により、または収納台と別に作成されたものを収納台の適所に取り付けることにより形成されていることを特徴とするものである。【００１０】この発明の冠婚葬祭用ワイン盛り篭用収納台は、販売を促進しようとする地場産品としてのワイン類を冠婚葬祭用として好適に使用することができる。
この発明の冠婚葬祭用ワイン盛り篭用収納台は、特別に用意した盛り篭用台座のみならず、既製品の盛り篭用台座に設置することができ、盛り篭用台座に収納台を設置した後は、収納台の周りに造花や生花を飾り付け、個人名または各種団体・法人名の記載された贈答者の名札を上部に設置することで、葬祭用お供物または慶事用贈答飾りとして利用することができる。
【発明の効果】
【００１１】  この発明の冠婚葬祭用ワイン盛り篭用収納台は以上のように、収納台のワインボトル装着部分の底面傾斜凹部部分に落下・ズレ防止の係合突起状安定手段を装着し、収納台を含めた全体にラッピングフィルムを被せ、該ラッピングフィルムを専用の温熱ヒータで収縮されることにより、ワインボトルを収納台に安定して固定させることが可能となった。【００１２】  また従来の各種の梱包用資材を用いて作成した収納台に比べ、軽量化を図ることができる上、耐久性に著しく優れたものとなり、かつ透明なラッピングフィルムを包装に使用して該フィルムを収縮させることで、ワインボドルを収納台に安定して固定することができ、展示の際の安定性や運搬の利便性、ワインボトルの落下による事故防止等の顕著な効果を奏するものとすることができる。
【発明を実施するための最良の形態】
【００１３】  以下にこの発明の冠婚葬祭用ワイン盛り篭用収納台の実施の形態を、図面に基いて詳細に説明する。
図１ないし図４において、１１は盛り篭用スタンド類に取り付けられるお供物用の収納台である。この収納台１１は、円盤状の台板部１２から下向きに筒状の側壁１３が垂下しており、その下端には外向きのフランジ１４が形成されている。【００１４】  前記台板部１２には、その適所に複数のワインボトル２１の側面の一部を傾斜させて収納保持する傾斜凹所１５が配置されている。この傾斜凹所１５は、図ではワインボトル２１の底部からその側面の中ほどまでが収納できるように傾斜して形成されているが、必ずしもこの長さや傾斜角度に限定されるものではない。【００１５】  また、台板部１２の適所に形成した複数の傾斜凹所１５の下端には、ワインボトル２１の底に形成された凹部をはめ込むための係合突起が突設されている。
なお、前記ワインボトル２１の底に形成された凹部は、ワインのオリを沈殿させるためのものであり、逆に底の平らなワインボトルは、オリがほとんど出ないようにフィルタをかけて作られたワイン用である。
すなわち、この平らなワインボトルはオリが生じるまで保存しないので、早めに飲んだほうが良いワインであって白やロゼワインに多くみられる。本発明ではワインボトルの底に凹部が形成されていないそれらのワインボトルについては対象としていない。【００１６】  前記した冠婚葬祭用ワイン盛り篭用収納台１１は、前記２１の底に形成された凹部にはめ込まれる係合突起１６として、それぞれワインボトル２１の底部の少なくとも１／２の断面形状から型取りしたものが形成されていることが望ましい。このように、ワインボトル２１の少なくとも１／２の断面形状に対応することにより、ワインボトル２１の底部に形成された凹所をはめ込みやすく、また簡単にワインボトル２１が抜け落ちないように構成することができる。【００１７】  また前記収納台１１においては、前記ワインボトル２１の底に形成された凹部にはめ込まれる係合突起１６が、ワインボトル２１の当該底部の最奥面に当たる部分の表面に、滑り止め手段１７が形成されている。
前記滑り止め手段１７としては、係合突起１６の表面に付着させた細砂層、もしくはシリコンゴム等の滑り止め層とすることができる。
このように、係合突起１６の表面に滑り止め手段１７を設けることにより、簡単にワインボトル２１が抜け落ちてしまうことがない。【００１８】  この冠婚葬祭用ワイン盛り篭用収納台１１は、前記ワインボトル２１の底に形成された凹部にはめ込まれる複数の係合突起１６として、前記収納台１１と一体成形することにより形成することができる。このような一体成形としては、ガラス繊維補強シート等に熱硬化性樹脂を含浸させて成形型を用いて硬化させたＦＲＰとすることができる。【００１９】  図５（ａ），（ｂ），（ｃ）はこの発明の冠婚葬祭用ワイン盛り篭用収納台の種々の例を示すものであり、（ａ）は前記図１ないし図４の実施例と同様の係合突起１６を備えた７つの傾斜凹所１５を、その１つを中央にしてその上部に扇形に配置した例を示す。（ｂ）は係合突起１６を備えた５つの傾斜凹所１５を下部に並べて配置した例を示す。（ｃ）は収納台１１を扇形の輪郭とした上、係合突起１６を備えた５つの傾斜凹所１５を扇形に配置した例を示す。【００２０】  図６ないし図８は前記収納台を搭載する各パーツを説明するためのもので、図６の台座３１は基台３２と、この基台３２の上部に支持脚３３を介して収納台１１を搭載するための保持フレーム３４とで構成されている。
図７は前記台座３１を搭載するテーブル３５を示し、このテーブル３５上面の周囲には台座３１の脱落を防止するための立上り部３６が形成され、また底部の四隅にはテーブル３５を移動させるためのキャスタ３７が取り付けられている。
そして、図８はテーブル３５を覆う側面カバー３８を示し、テーブル３５に被せてテーブル３５を飾るためのものである。【００２１】上記テーブル３５の使用に際しては、側面カバー３８を被せたテーブル３５上に台座３１を搭載し、台座３１の保持フレーム３４に前記収納台１１を取り付けて冠婚葬祭用ワイン盛り篭として使用する。
すなわち、収納台１１の傾斜凹所１５にワインボトル２１を入れてその底部に形成された凹部を傾斜凹所１５の端部に形成した係合突起１６にはめ込む。次いで、収納台１１を含めた全体にラッピングフィルムを被せ、該ラッピングフィルムを専用の温熱ヒータで収縮させることによってワインボトル２１を収納台１１に強固に固定することができる。【００２２】  次に、贈答用の盛り篭として使用する場合や、弔事のお供物として使用する場合、例えば収納台１１の円周部分に飾りとして造花やブドウの房の形を模造したものを飾り付け、個人名または各種団体・法人名等の記載された贈答者の名札を上部に設置することにより好適に利用することができる。
また慶事贈答用には、例えば収納台１１の円周部分に飾りとして祝い花用の造花もしくは生花ブドウの粒の中にＬＥＤ電球を入れて、これをイルミネーションとして点滅させることで華やかさを演出して慶事に相応しい展示を行うようにすることができる。
さらに、卓上タイプの贈答用の盛り篭として使用する場合には、前記図５（ｃ）示す扇形の収納台１１にワインボトル２１を収納し、下部にオワシスベース（フレーム状の花台）を設置した上、これに生花をアレンジして販売を行えばよい。【００２３】  この発明において使用する収納台１１としては、図５（ａ），（ｂ），（ｃ）のような各種のタイプのものとすることができるが、例えば販売価格に応じてワインの本数を調整できるように数種類の収納台１１を用意し、消費者のニーズに合った価格での盛り篭を提供することができるようにすることが望ましい。
【図面の簡単な説明】
【００２４】
【図１】この発明の冠婚葬祭用ワイン盛り篭用収納台の１実施例を示す側面図である。
【図２】上記収納台の斜視図である。
【図３】収納台に設けたワインボトルの側面を収納可能とした傾斜凹所に内蔵した係合突起の正面図である。
【図４】係合突起の要部を示す概略中央縦断面図である。
【図５】（ａ），（ｂ），（ｃ）はこの発明の冠婚葬祭用ワイン盛り篭用収納台の種々の例を示すそれぞれの平面図である。
【図６】前記収納台を搭載する台座の正面図である。
【図７】台座を搭載するテーブルの斜視図である。
【図８】テーブルを覆う側面カバーを示す斜視図である。
【図９】本発明の上記収納台を用いて組み立てた冠婚葬祭用ワイン盛り篭の正面図である。
【符号の説明】
【００２５】１１    収納台
１２    台板部
１３    筒状の側壁
１４    フランジ
１５    傾斜凹所
１６    係合突起
１７    滑り止め手段
２１    ワインボトル
３１    台座
３２    基台
３３    支持脚
３４    保持フレーム
３５    テーブル
３６    立上り部
３７    キャスタ
３８    側面カバー
【図１】
0004747376.tif 000002
【図２】
0004747376.tif 000003
【図３】
0004747376.tif 000004
【図４】
0004747376.tif 000005
【図５】
0004747376.tif 000006
【図６】
0004747376.tif 000007
【図７】
0004747376.tif 000008
【図８】
0004747376.tif 000009
【図９】
0004747376.tif 000010